(57)【要約】【課題】スイッチトリラクタンスモータに供給する方形波状の駆動電流の立ち上がり及び立ち下がりを急峻にすることが可能な回路の部品点数を減らす。【解決手段】一端が直流電源のプラス側に接続されているコンデンサと、コンデンサの他端とコイルの一端との間に設けられる第１スイッチング素子と、コイルの他端と直流電源のマイナスとの間に設けられる第２スイッチング素子と、直流電源のプラスとコンデンサの他端との間に設けられる第３スイッチング素子と、アノード端子がコイルの他端にまたカソード端子がコンデンサの他端にそれぞれ接続されている第１ダイオードと、アノード端子が直流電源のマイナス側にまたカソード端子がコイルの一端にそれぞれ接続されている第２ダイオードとを具備する。【選択図】図１
2015033297.tif 000002
【特許請求の範囲】
【請求項１】
スイッチング素子を備え、直流電源によって出力される電力を変換してスイッチトリラクタンスモータのコイルに供給する電力変換装置であって、
一端が前記直流電源のプラス側に接続されているコンデンサと、
前記コンデンサの他端と前記コイルの一端との間に設けられる前記スイッチング素子である第１スイッチング素子と、
前記コイルの他端と直流電源のマイナス側との間に設けられる前記スイッチング素子である第２スイッチング素子と、
アノード端子が前記直流電源のプラス側に、またカソード端子が前記コンデンサの他端にそれぞれ接続されるスイッチ用ダイオードが並列に接続され、前記直流電源のプラス側とコンデンサの他端との間に設けられる前記スイッチング素子である第３スイッチング素子と、
アノード端子が前記コイルの他端に、またカソード端子が前記コンデンサの他端にそれぞれ接続されている第１ダイオードと、
アノード端子が前記直流電源のマイナス側に、またカソード端子が前記コイルの一端にそれぞれ接続されている第２ダイオードとを具備し、
前記第１スイッチング素子及び前記第２スイッチング素子をオン状態にし、かつ第３スイッチング素子をオフ状態にすることで前記直流電源及び前記コンデンサから前記コイルに駆動電力を供給する第１動作モードと、前記コンデンサが放電した状態で、前記第１スイッチング素子及び前記第２スイッチング素子をオン状態にし、かつ第３スイッチング素子をオフ状態にすることで前記直流電源から前記コイルに駆動電力を供給する第２動作モードと、第１スイッチング素子をオン状態にし、かつ第２スイッチング素子及び第３スイッチング素子をオフ状態にする第３動作モードと、全ての前記スイッチング素子をオフ状態にすることで前記コイルから前記コンデンサ及び前記直流電源に電力を供給する第４動作モードと、第３スイッチング素子をオン状態にし、かつ第１スイッチング素子及び第２スイッチング素子をオフ状態にすることで前記コイルから前記直流電源に電力を供給する第５動作モードとを有することを特徴とする電力変換装置。
【請求項２】
アノード端子が前記コンデンサの一端に、またカソード端子が前記直流電源のプラス側にそれぞれ接続される第２スイッチ用ダイオードが並列に接続され、前記直流電源のプラス側と前記コンデンサの一端との間に設けられる前記スイッチング素子である第４スイッチング素子をさらに具備し、
前記第１動作モードにおいて、前記第４スイッチング素子もオン状態にし、
前記第５動作モードにおいて、前記第４スイッチング素子もオフ状態にすることを特徴とする請求項１に記載の電力変換装置。
【請求項３】
アノード端子が前記直流電源のプラス側に、またカソード端子が前記コイルの一端にそれぞれ接続されている第３ダイオードと、
前記第３ダイオードのカソード端子と前記コイルの一端との間に設けられた前記スイッチング素子である第５スイッチング素子とをさらに具備し、
前記第５スイッチング素子のみオン状態にすることで前記コイルから前記コンデンサに電力を供給する第６動作モードをさらに有し、
前記第２動作モードにおいて、前記第１スイッチング素子及び第５スイッチング素子の少なくとも一方と前記第２スイッチング素子とをオン状態にし、
前記第５動作モードにおいて、第５スイッチング素子もオフ状態にすることを特徴とする請求項１に記載の電力変換装置。
【請求項４】
アノード端子が前記コンデンサの一端に、またカソード端子が前記直流電源のプラス側にそれぞれ接続される第２スイッチ用ダイオードが並列に接続され、前記直流電源のプラス側と前記コンデンサの一端との間に設けられる前記スイッチング素子である第４スイッチング素子と、
アノード端子が前記直流電源のプラス側に、またカソード端子が前記コイルの一端にそれぞれ接続されている第３ダイオードと、
前記第３ダイオードのカソード端子と前記コイルの一端との間に設けられる前記スイッチング素子である第５スイッチング素子とをさらに具備し、
第５スイッチング素子のみオン状態にすることで前記コイルから前記コンデンサに電力を供給する第６動作モードをさらに有し、
前記第１動作モードにおいて、前記第４スイッチング素子もオン状態にし、
前記第２動作モードにおいて、前記第１スイッチング素子及び第２スイッチング素子の組み合わせと第２スイッチング素子、第４スイッチング素子及び第５スイッチング素子の組み合わせとの少なくとも一方の組み合わせをオン状態にし、
前記第５動作モードにおいて、第４スイッチング素子及び第５スイッチング素子もオフ状態にすることを特徴とする請求項１に記載の電力変換装置。
【請求項５】
前記第２スイッチング素子及び前記第１ダイオードは、前記スイッチトリラクタンスモータに備えられる複数相分のコイル各々に対して設けられることを特徴とする請求項１〜４のいずれか一項に記載の電力変換装置。
【発明の詳細な説明】
【技術分野】
【０００１】
本発明は、電力変換装置に関する。
【背景技術】
【０００２】
下記特許文献１には、スイッチトリラクタンスモータの３相分の巻線に印加する電圧を昇圧することができると共に、３相分の巻線に流れる電流を容量素子及び電源に回生することができる駆動回路が開示されている。該駆動回路は、１つのコンデンサ、９つのスイッチング素子及び６つのダイオードによって構成されている。また、この駆動回路は、３相分の巻線に供給する方形波状の駆動電流の立ち上がり及び立ち下がりを急峻にすることも可能である。
【先行技術文献】
【特許文献】
【０００３】
【特許文献１】特開２０１２−４４８１６号公報
【発明の概要】
【発明が解決しようとする課題】
【０００４】
ところで、上記従来技術では、上述したように、スイッチトリラクタンスモータの３相分の巻線に供給する方形波状の駆動電流の立ち上がり及び立ち下がりを急峻にすることが可能であるが、該駆動電流を生成するために、１つのコンデンサ、９つのスイッチング素子及び６つのダイオードを用いる必要があるため、部品点数が増えてしまうという問題があった。
【０００５】
本発明は、上述した事情に鑑みてなされたものであり、スイッチトリラクタンスモータに供給する方形波状の駆動電流の立ち上がり及び立ち下がりを急峻にすることが可能な回路の部品点数を減らすこと目的とする。
【課題を解決するための手段】
【０００６】
上記目的を達成するために、本発明では、第１の解決手段として、スイッチング素子を備え、直流電源によって出力される電力を変換してスイッチトリラクタンスモータのコイルに供給する電力変換装置であって、一端が前記直流電源のプラス側に接続されているコンデンサと、前記コンデンサの他端と前記コイルの一端との間に設けられる前記スイッチング素子である第１スイッチング素子と、前記コイルの他端と直流電源のマイナス側との間に設けられる前記スイッチング素子である第２スイッチング素子と、アノード端子が前記直流電源のプラス側に、またカソード端子が前記コンデンサの他端にそれぞれ接続されるスイッチ用ダイオードが並列に接続され、前記直流電源のプラス側とコンデンサの他端との間に設けられる前記スイッチング素子である第３スイッチング素子と、アノード端子が前記コイルの他端に、またカソード端子が前記コンデンサの他端にそれぞれ接続されている第１ダイオードと、アノード端子が前記直流電源のマイナス側に、またカソード端子が前記コイルの一端にそれぞれ接続されている第２ダイオードとを具備し、前記第１スイッチング素子及び前記第２スイッチング素子をオン状態にし、かつ第３スイッチング素子をオフ状態にすることで前記直流電源及び前記コンデンサから前記コイルに駆動電力を供給する第１動作モードと、前記コンデンサが放電した状態で、前記第１スイッチング素子及び前記第２スイッチング素子をオン状態にし、かつ第３スイッチング素子をオフ状態にすることで前記直流電源から前記コイルに駆動電力を供給する第２動作モードと、第１スイッチング素子をオン状態にし、かつ第２スイッチング素子及び第３スイッチング素子をオフ状態にする第３動作モードと、全ての前記スイッチング素子をオフ状態にすることで前記コイルから前記コンデンサ及び前記直流電源に電力を供給する第４動作モードと、第３スイッチング素子をオン状態にし、かつ第１スイッチング素子及び第２スイッチング素子をオフ状態にすることで前記コイルから前記直流電源に電力を供給する第５動作モードとを有する、という手段を採用する。
【０００７】
本発明では、第２の解決手段として、上記第１の解決手段において、アノード端子が前記コンデンサの一端に、またカソード端子が前記直流電源のプラス側にそれぞれ接続される第２スイッチ用ダイオードが並列に接続され、前記直流電源のプラス側と前記コンデンサの一端との間に設けられる前記スイッチング素子である第４スイッチング素子をさらに具備し、前記第１動作モードにおいて、前記第４スイッチング素子もオン状態にし、前記第５動作モードにおいて、前記第４スイッチング素子もオフ状態にする、という手段を採用する。
【０００８】
本発明では、第３の解決手段として、上記第１の解決手段において、アノード端子が前記直流電源のプラス側に、またカソード端子が前記コイルの一端にそれぞれ接続されている第３ダイオードと、前記第３ダイオードのカソード端子と前記コイルの一端との間に設けられた前記スイッチング素子である第５スイッチング素子とをさらに具備し、前記第５スイッチング素子のみオン状態にすることで前記コイルから前記コンデンサに電力を供給する第６動作モードをさらに有し、前記第２動作モードにおいて、前記第１スイッチング素子及び第５スイッチング素子の少なくとも一方と前記第２スイッチング素子とをオン状態にし、前記第５動作モードにおいて、第５スイッチング素子もオフ状態にする、という手段を採用する。
【０００９】
本発明では、第４の解決手段として、上記第１の解決手段において、アノード端子が前記コンデンサの一端に、またカソード端子が前記直流電源のプラス側にそれぞれ接続される第２スイッチ用ダイオードが並列に接続され、前記直流電源のプラス側と前記コンデンサの一端との間に設けられる前記スイッチング素子である第４スイッチング素子と、アノード端子が前記直流電源のプラス側に、またカソード端子が前記コイルの一端にそれぞれ接続されている第３ダイオードと、前記第３ダイオードのカソード端子と前記コイルの一端との間に設けられる前記スイッチング素子である第５スイッチング素子とをさらに具備し、第５スイッチング素子のみオン状態にすることで前記コイルから前記コンデンサに電力を供給する第６動作モードをさらに有し、前記第１動作モードにおいて、前記第４スイッチング素子もオン状態にし、前記第２動作モードにおいて、前記第１スイッチング素子及び第２スイッチング素子の組み合わせと第２スイッチング素子、第４スイッチング素子及び第５スイッチング素子の組み合わせとの少なくとも一方の組み合わせをオン状態にし、前記第５動作モードにおいて、第４スイッチング素子及び第５スイッチング素子もオフ状態にする、という手段を採用する。
【００１０】
本発明では、第５の解決手段として、上記第１〜第４のいずれか１つの解決手段において、前記第２スイッチング素子及び前記第１ダイオードは、前記スイッチトリラクタンスモータに備えられる複数相分のコイル各々に対して設けられる、という手段を採用する。
【発明の効果】
【００１１】
本発明によれば、第１動作モードにおいて、直流電源及びコンデンサからスイッチトリラクタンスモータのコイルに駆動電力を供給するので、方形波状の駆動電流の立ち上がりを急峻にすることができる。また、本発明によれば、第４動作モードにおいて、コイルから直流電源及びコンデンサに電流を供給するので、方形波状の駆動電流の立ち下がりを急峻にすることができる。このような本発明よれば、上述した先行技術文献に比べて、部品点数を減らすことが可能である。
【図面の簡単な説明】
【００１２】
【図１】本発明の第１実施形態に係る電力変換装置の回路図である。
【図２】本発明の第１実施形態に係る電力変換装置の駆動電流（ａ）、印加電圧（ｂ）及びスイッチング（ｃ）を示すタイミングチャートである。
【図３】本発明の第１実施形態に係る電力変換装置の駆動電流（ａ）、印加電圧（ｂ）及びスイッチング（ｃ）を示すタイミングチャートである。
【図４】本発明の第１実施形態に係る電力変換装置の駆動電流（ａ）、印加電圧（ｂ）及びスイッチング（ｃ）を示すタイミングチャートである。
【図５】本発明の第１実施形態に係る電力変換装置の変形例を示す回路図である。
【図６】本発明の第２実施形態に係る電力変換装置の回路図である。
【図７】本発明の第２実施形態に係る電力変換装置の駆動電流（ａ）、印加電圧（ｂ）及びスイッチング（ｃ）を示すタイミングチャートである。
【図８】本発明の第２実施形態に係る電力変換装置の駆動電流（ａ）、印加電圧（ｂ）及びスイッチング（ｃ）を示すタイミングチャートである。
【図９】本発明の第２実施形態に係る電力変換装置の駆動電流（ａ）、印加電圧（ｂ）及びスイッチング（ｃ）を示すタイミングチャートである。
【図１０】本発明の第２実施形態に係る電力変換装置の駆動電流（ａ）、印加電圧（ｂ）及びスイッチング（ｃ）を示すタイミングチャートである。
【図１１】本発明の第２実施形態に係る電力変換装置の変形例を示す回路図である。
【図１２】本発明の第３実施形態に係る電力変換装置の回路図である。
【図１３】本発明の第３実施形態に係る電力変換装置の駆動電流（ａ）、印加電圧（ｂ）及びスイッチング（ｃ）を示すタイミングチャートである。
【図１４】本発明の第３実施形態に係る電力変換装置の駆動電流（ａ）、印加電圧（ｂ）及びスイッチング（ｃ）を示すタイミングチャートである。
【図１５】本発明の第３実施形態に係る電力変換装置の駆動電流（ａ）、印加電圧（ｂ）及びスイッチング（ｃ）を示すタイミングチャートである。
【図１６】本発明の第３実施形態に係る電力変換装置の駆動電流（ａ）、印加電圧（ｂ）及びスイッチング（ｃ）を示すタイミングチャートである。
【図１７】本発明の第３実施形態に係る電力変換装置の変形例を示す回路図である。
【図１８】本発明の第４実施形態に係る電力変換装置の回路図である。
【図１９】本発明の第４実施形態に係る電力変換装置の駆動電流（ａ）、印加電圧（ｂ）及びスイッチング（ｃ）を示すタイミングチャートである。
【図２０】本発明の第４実施形態に係る電力変換装置の駆動電流（ａ）、印加電圧（ｂ）及びスイッチング（ｃ）を示すタイミングチャートである。
【図２１】本発明の第４実施形態に係る電力変換装置の駆動電流（ａ）、印加電圧（ｂ）及びスイッチング（ｃ）を示すタイミングチャートである。
【図２２】本発明の第４実施形態に係る電力変換装置の駆動電流（ａ）、印加電圧（ｂ）及びスイッチング（ｃ）を示すタイミングチャートである。
【図２３】本発明の第４実施形態に係る電力変換装置の駆動電流（ａ）、印加電圧（ｂ）及びスイッチング（ｃ）を示すタイミングチャートである。
【図２４】本発明の第３実施形態に係る電力変換装置の変形例を示す回路図である。
【発明を実施するための形態】
【００１３】
以下、図面を参照して、本発明の実施形態について説明する。
〔第1実施形態〕
初めに第１実施形態について説明する。本第１実施形態に係る電力変換装置は、直流電源Ｅによって出力される電力を変換してスイッチトリラクタンスモータ（図示略）のコイルＬ１に供給するものである。このような電力変換装置は、図１に示すように、１対の第１端子Ｔ１、Ｔ２、１対の第２端子Ｔ１１、Ｔ１２、コンデンサＣ、第１スイッチング素子Ｓ１、第２スイッチング素子Ｓ２、第１ダイオードＤ１、第２ダイオードＤ２及びスイッチ制御部Ｍから構成されている。
【００１４】
１対の第１端子Ｔ１、Ｔ２は、直流電源Ｅの両端（プラス端子及びマイナス端子）に接続されている。一方、１対の第２端子Ｔ１１、Ｔ１２は、スイッチトリラクタンスモータ（図示略）のコイルＬ１の両端に接続されている。
コンデンサＣは、直流電源Ｅのプラス側とコイルＬ１の一端との間に設けられ、一端が直流電源Ｅのプラス側に、また他端が第１スイッチング素子Ｓ１を介してコイルＬ１の一端にそれぞれ接続されている。
【００１５】
第１スイッチング素子Ｓ１は、コンデンサＣの他端とコイルＬ１の一端との間に設けられ、一端がコンデンサＣの他端に、また他端がコイルＬ１の一端にそれぞれ接続されている。
第２スイッチング素子Ｓ２は、コイルＬ１の他端と直流電源Ｅのマイナス側との間に設けられ、一端がコイルＬ１の他端に、また他端が直流電源Ｅのマイナス側にそれぞれ接続されている。
【００１６】
第３スイッチング素子Ｓ３は、直流電源Ｅのプラス側とコンデンサＣの他端との間に設けられ、一端が直流電源Ｅのプラス側に、また他端がコンデンサＣの他端にそれぞれ接続されている。また、第３スイッチング素子Ｓ３には、アノード端子が直流電源Ｅのプラス側に、またカソード端子がコンデンサＣの他端にそれぞれ接続されるスイッチ用ダイオードＳＤ１が並列に接続されている。なお、第１スイッチング素子Ｓ１及び第２スイッチング素子Ｓ２にも、スイッチ用ダイオードは並列接続されているが、後述する本電力変換装置の動作の説明の中で登場しないため、説明を省略する。
【００１７】
このような第１スイッチング素子Ｓ１、第２スイッチング素子Ｓ２及び第３スイッチング素子Ｓ３は、例えば、ＦＥＴトランジスタ（Field Effect Transistor：電界効果トランジスタ）であり、ゲート端子がスイッチ制御部Ｍに接続され、スイッチ制御部Ｍから電圧値がハイレベルである制御信号がゲート端子に入力されるとオン状態となり、電圧値がローレベルである制御信号がゲート端子に入力されると、オフ状態となる。また、第１スイッチング素子Ｓ１、第２スイッチング素子Ｓ２及び第３スイッチング素子Ｓ３は、ＦＥＴトランジスタ以外にも、例えばバイポーラトランジスタやＩＧＢＴ（Insulated Gate Bipolar Transistor：絶縁ゲートバイポーラトランジスタ）であってもよい。
【００１８】
第１ダイオードＤ１は、アノード端子がコイルＬ１の他端に、またカソード端子がコンデンサＣの他端にそれぞれ接続されている。
第２ダイオードＤ２は、アノード端子が直流電源Ｅのマイナス側に、またカソード端子がコイルＬ１の一端にそれぞれ接続されている。
【００１９】
スイッチ制御部Ｍは、第１スイッチング素子Ｓ１、第２スイッチング素子Ｓ２及び第３スイッチング素子Ｓ３のスイッチング制御を行うマイクロコントローラであり、具体的には各スイッチング素子のゲート端子それぞれに、立ち上がり及び立ち下りのタイミング及びデューティ比の異なる制御信号を出力する。
【００２０】
次に、このように構成された本電力変換装置の動作について図１〜図４を参照して説明する。
本電力変換装置は、スイッチトリラクタンスモータ（図示略）のコイルＬ１に方形波状の駆動電流を供給するために、第１スイッチング素子Ｓ１、第２スイッチング素子Ｓ２及び第３スイッチング素子Ｓ３のスイッチング等を実行する。つまり、本電力変換装置は、以下に説明する第１〜第４動作モードを実行する。
【００２１】
第１動作モードは、直列接続される直流電源Ｅ及びコンデンサＣからコイルＬ１に駆動電力を供給する動作モードである。つまり、第１動作モードにおいて、スイッチ制御部Ｍは、第１スイッチング素子Ｓ１及び第２スイッチング素子Ｓ２をオン状態にし、かつ第３スイッチング素子Ｓ３をオフ状態にする（図２（ｃ）参照）。これによって、図１（１）に示すように、直流電源Ｅから、コンデンサＣ、第１スイッチング素子Ｓ１、コイルＬ１、第２スイッチング素子Ｓ２を順に介して直流電源Ｅに至る経路で電流が流れる。
【００２２】
例えば、直流電源Ｅの電圧をＥＶ、コンデンサＣの電圧をＣＶとした場合、コイルＬ１に印加される電圧は（ＥＶ＋ＣＶ）である（図２（ｂ）参照）。そして、印加電圧（ＥＶ＋ＣＶ）に応じた駆動電流がコイルＬ１に供給される。この結果、駆動電流は、急激に上昇する（図２（ａ）参照）。そして、コンデンサＣに蓄えられた電荷が全て放電されると、第１動作モードが終了し、第２動作モードに移行する。
【００２３】
第２動作モードは、第１動作モードの終了後、直流電源ＥのみからコイルＬ１に駆動電力を供給する動作モードである。第２動作モードでは、図１（２）に示すように、直流電源Ｅから、第３スイッチング素子Ｓ３のスイッチ用ダイオードＳＤ１、第１スイッチング素子Ｓ１、コイルＬ１、第２スイッチング素子Ｓ２を順に介して直流電源Ｅに至る経路でも電流が流れる。この結果、駆動電流は、上記第１動作モードに続いて上昇する（図２（ａ）参照）。
【００２４】
そして、スイッチ制御部Ｍは、第１スイッチング素子Ｓ１をオン状態にし、かつ第２スイッチング素子Ｓ２及び第３スイッチング素子Ｓ３をオフ状態にすることで、第２動作モードを終了して、第３動作モードに移行する（図２（ｃ）参照）。
【００２５】
第３動作モードは、コイルＬ１から発生する電力を還流する動作モードである。つまり、第３動作モードは、コイルＬ１から発生する電力を、還流して熱として消費する動作モードである。上述したように、第３動作モードにおいて、スイッチ制御部Ｍは、第１スイッチング素子Ｓ１をオン状態にし、かつ第２スイッチング素子Ｓ２及び第３スイッチング素子Ｓ３をオフ状態にする（図５（ｃ）参照）。これによって、図１（３）に示すように、コイルＬ１から、第１ダイオードＤ１、第１スイッチング素子Ｓ１を順に介してコイルＬ１に至る経路で電流が流れる。この結果、コイルＬ１から発生する電力は、熱として消費される。
【００２６】
その後、スイッチ制御部Ｍは、第１スイッチング素子Ｓ１、第２スイッチング素子Ｓ２及び第３スイッチング素子Ｓ３を制御して、第２動作モードと第３動作モードとの切り替えを繰り返す。この結果、駆動電流は、目標電流値Ｒｅｆ近傍で上下する（図２（ａ）参照）。つまり、駆動電流は、目標電流値Ｒｅｆ近傍で安定するように制御される。
【００２７】
そして、スイッチ制御部Ｍは、第１スイッチング素子Ｓ１、第２スイッチング素子Ｓ２及び第３スイッチング素子Ｓ３をオフ状態にすることで、第４動作モードに移行する（図２（ｃ）参照）。
【００２８】
第４動作モードは、コイルＬ１から発生する電力を直列接続されるコンデンサＣ及び直流電源Ｅに供給して充電することで、方形波状の駆動電流の立ち下がりを急峻にする動作モードである。上述したように、第４動作モードにおいて、スイッチ制御部Ｍは、第１スイッチング素子Ｓ１、第２スイッチング素子Ｓ２及び第３スイッチング素子Ｓ３をオフ状態にする（図２（ｃ）参照）。
【００２９】
これによって、図１（４）に示すように、コイルＬ１から、第１ダイオードＤ１、コンデンサＣ、直流電源Ｅ、第２ダイオードＤ２を順に介してコイルＬ１に至る経路で電流が流れる。この結果、コンデンサＣ及び直流電源Ｅは、電力が供給されて充電される。これに伴って、コイルＬ１に供給される駆動電流は、急激に低下する（図２（ａ）参照）。
【００３０】
一方、本実施形態において、スイッチ制御部Ｍは、第３スイッチング素子Ｓ３をオン状態にし、かつ第１スイッチング素子Ｓ１及び第２スイッチング素子Ｓ２をオフ状態にすることで、第４動作モードに代えて、第５動作モードに移行するようにしてもよい（図３（ｃ）参照）。
【００３１】
第５動作モードは、コイルＬ１から発生する電力を直流電源Ｅに供給する動作モードである。上述したように、第５動作モードにおいて、スイッチ制御部Ｍは、第３スイッチング素子Ｓ３をオン状態にし、かつ第１スイッチング素子Ｓ１及び第２スイッチング素子Ｓ２をオフ状態にする（図３（ｃ）参照）。これによって、図１（５）に示すように、コイルＬ１から、第１ダイオードＤ１、第３スイッチング素子Ｓ３、直流電源Ｅ、第２ダイオードＤ２を順に介してコイルＬ１に至る経路で電流が流れる。この結果、直流電源Ｅには、電力が供給される。これに伴って、コイルＬ１に供給される駆動電流は、上記第４動作モードほど急激でないが、低下する（図３（ａ）参照）。
【００３２】
本電力変換装置は、上記第１〜第４動作モードを繰り返すことによって、継続的に方形波状の駆動電流を生成して、スイッチトリラクタンスモータ（図示略）のコイルＬ１に供給してもよい（図２参照）。また、第４動作モードに代えて、第５動作モードを実行してもよい。なお、第５動作モードを実行した場合には、コンデンサＣに電荷が蓄えられないので、この後、第１動作モードではなく、第２動作モードを実行することになる（図３参照）。また、図４に示すように、第５動作モードに移行後、特定の時間経過後に、第５動作モードから第４動作モードに移行するようにしてもよい。
【００３３】
続いて、上記第１実施形態の変形例について説明する。
第１実施形態の変形例は、スイッチトリラクタンスモータ（図示略）の３相分のコイルＬ１、Ｌ２、Ｌ３各々に１２０度ずつ位相の異なる駆動電流を供給するものである。この第１実施形態の変形例は、図５に示すように、３対の第２端子Ｔ１１、Ｔ１２、Ｔ２１、Ｔ２２、Ｔ３１、Ｔ３２、第２スイッチング素子Ｓ２、Ｓ１２、Ｓ２２及び第１ダイオードＤ１、Ｄ１１、Ｄ２１がスイッチトリラクタンスモータに備えられるコイルＬ１、Ｌ２、Ｌ３各々に対して設けられる点において、上述した第１実施形態と相違する。
【００３４】
これ以外の構成要素については第１実施形態と同様である。なお、１対の第１端子Ｔ１、Ｔ２、コンデンサＣ、第１スイッチング素子Ｓ１、第２ダイオードＤ２及び第３スイッチング素子Ｓ３については、共有されて各駆動電流の生成に用いられる。よって、第１実施形態の変形例において上述した第１実施形態と同様の構成要素については説明を省略する。
【００３５】
１対の第２端子Ｔ２１、Ｔ２２は、スイッチトリラクタンスモータ（図示略）のコイルＬ２の両端に接続されている。
第２スイッチング素子Ｓ１２は、コイルＬ２の他端と直流電源Ｅのマイナス側との間に設けられ、一端がコイルＬ２の他端に、また他端が直流電源Ｅのマイナス側にそれぞれ接続されている。
第１ダイオードＤ１１は、アノード端子がコイルＬ２の他端に、またカソード端子がコンデンサＣの他端にそれぞれ接続されている。
【００３６】
１対の第２端子Ｔ３１、Ｔ３２は、スイッチトリラクタンスモータ（図示略）のコイルＬ３の両端に接続されている。
第２スイッチング素子Ｓ２２は、コイルＬ３の他端と直流電源Ｅのマイナス側との間に設けられ、一端がコイルＬ３の他端に、また他端が直流電源Ｅのマイナス側にそれぞれ接続されている。
【００３７】
第１ダイオードＤ２１は、アノード端子がコイルＬ３の他端に、またカソード端子がコンデンサＣの他端にそれぞれ接続されている。
なお、上記第２スイッチング素子Ｓ１２、Ｓ２２は、例えば、上記第１スイッチング素子Ｓ１、第２スイッチング素子Ｓ２及び第３スイッチング素子Ｓ３と同様に、ＦＥＴトランジスタ、あるいはバイポーラトランジスタやＩＧＢＴであってもよい。また、スイッチ制御部Ｍは、第１スイッチング素子Ｓ１、第２スイッチング素子Ｓ２及び第３スイッチング素子Ｓ３に加えて、第２スイッチング素子Ｓ１２、Ｓ２２も制御する。
【００３８】
このように構成された第１実施形態の変形例は、スイッチトリラクタンスモータのコイルＬ１、Ｌ２、Ｌ３各々に供給する方形波状の駆動電流を生成するために上述した第１実施形態の第１〜第４動作モードを実行して、コイルＬ１、Ｌ２、Ｌ３各々に１２０度ずつ位相の異なる方形波状の駆動電流を供給する。また、第１実施形態の変形例は、第４動作モードに代えて、第５動作モードを実行してもよい。なお、第５動作モードを実行した場合には、コンデンサＣに電荷が蓄えられないので、この後、第１動作モードではなく、第２動作モードを実行することになる（図３参照）。また、図４に示すように、第５動作モードに移行後、特定の時間経過後に、第５動作モードから第４動作モードに移行するようにしてもよい。
【００３９】
ここで、１２０度ずつ位相の異なる各駆動電流の方形部分（立ち上がりから立ち下がりまでの間）は、時間を空けて重ならないように制御されている。すなわち、各駆動電流の生成に共有される１対の第１端子Ｔ１、Ｔ２、コンデンサＣ、第１スイッチング素子Ｓ１、第２ダイオードＤ２及び第３スイッチング素子Ｓ３は、時間をずらして、各駆動電流の生成に用いられる。
【００４０】
このような本実施形態によれば、第１動作モードにおいて、直列接続された直流電源Ｅ及びコンデンサＣからスイッチトリラクタンスモータのコイルＬ１（あるいはコイルＬ２、Ｌ３）に駆動電流を供給するので、方形波状の駆動電流の立ち上がりを急峻にすることができる。また、本実施形態によれば、第４動作モードにおいて、コイルＬ１（あるいはコイルＬ２、Ｌ３）から直列接続された直流電源Ｅ及びコンデンサＣに電流を供給するので、方形波状の駆動電流の立ち下がりを急峻にすることができる。このような本実施形態よれば、上述した先行技術文献に比べて、部品点数を減らすことが可能である。
【００４１】
また。本実施形態によれば、第４動作モード及び第５動作モードにおいて、コイルＬ１（あるいはコイルＬ２、Ｌ３）から直流電源Ｅに電力を供給するので、電力の消費を低減することができる。
【００４２】
〔第２実施形態〕
次に、第２実施形態に係る電力変換装置について説明する。
本第２実施形態に係る電力変換装置は、図６に示すように、第４スイッチング素子Ｓ４を備える点において、上記第１実施形態と相違する。これ以外の構成要素については第１実施形態と同様である。よって、第２実施形態において第１実施形態と同様の構成要素については説明を省略する。
【００４３】
第４スイッチング素子Ｓ４は、直流電源Ｅのプラス側とコンデンサＣの一端との間に設けられ、一端が直流電源Ｅのプラス端子に、また他端がコンデンサＣの一端にそれぞれ接続されている。また、第４スイッチング素子Ｓ４には、アノード端子がコンデンサＣの一端に、またカソード端子が直流電源Ｅのプラス端子にそれぞれ接続される第２スイッチ用ダイオードＳＤ２が並列に接続されている。なお、第４スイッチング素子Ｓ４は、例えば、上記第１スイッチング素子Ｓ１、第２スイッチング素子Ｓ２及び第３スイッチング素子Ｓ３と同様に、ＦＥＴトランジスタ、あるいはバイポーラトランジスタやＩＧＢＴであってもよい。
【００４４】
次に、このように構成された本第２実施形態の動作について図６〜図１０を参照して説明する。
第１動作モードは、第１実施形態と同様に、直列接続される直流電源Ｅ及びコンデンサＣからコイルＬ１に駆動電力を供給する動作モードである。つまり、第２実施形態の第１動作モードにおいて、スイッチ制御部Ｍは、第１スイッチング素子Ｓ１及び第２スイッチング素子Ｓ２及び第４スイッチング素子Ｓ４をオン状態にし、かつ第３スイッチング素子をオフ状態にする。
【００４５】
これによって、図６（１）に示すように、直流電源Ｅから、第４スイッチング素子Ｓ４、コンデンサＣ、第１スイッチング素子Ｓ１、コイルＬ１、第２スイッチング素子Ｓ２を順に介して直流電源Ｅに至る経路で電流が流れる。例えば、直流電源Ｅの電圧をＥＶ、コンデンサＣの電圧をＣＶとした場合、コイルＬ１に印加される電圧は（ＥＶ＋ＣＶ）である（図７（ｂ）参照）。
【００４６】
そして、印加電圧（ＥＶ＋ＣＶ）に応じた駆動電流がコイルＬ１に供給される。この結果、駆動電流は、急激に上昇する（図７（ａ）参照）。そして、コンデンサＣに蓄えられた電荷が全て放電されると、第１動作モードが終了し、第２動作モードに移行する。
【００４７】
第２動作モードは、第１実施形態と同様、第１動作モードの終了後、直流電源ＥのみからコイルＬ１に駆動電力を供給する動作モードである。なお、図７（ｃ）では、第２動作モードにおいて、第４スイッチング素子Ｓ４がオン状態となっているが、第４スイッチング素子Ｓ４については、オン状態でもよいし、またオフ状態であってもよい。
【００４８】
第２動作モードでは、図６（２）に示すように、直流電源Ｅから、第３スイッチング素子Ｓ３のスイッチ用ダイオードＳＤ１、第１スイッチング素子Ｓ１、コイルＬ１、第２スイッチング素子Ｓ２を順に介して直流電源Ｅに至る経路でも電流が流れる。この結果、駆動電流は、上記第１動作モードに続いて上昇する（図７（ａ）参照）。
【００４９】
そして、スイッチ制御部Ｍは、第１スイッチング素子Ｓ１をオン状態にし、かつ第２スイッチング素子Ｓ２及び第３スイッチング素子Ｓ３をオフ状態にすることで、第２動作モードを終了して、第３動作モードに移行する（図７（ｃ）参照）。また、図７（ｃ）では、第３動作モードにおいて、第４スイッチング素子Ｓ４がオン状態となっているが、第４スイッチング素子Ｓ４については、オン状態でもよいし、またオフ状態であってもよい。
【００５０】
第３動作モードは、第１実施形態と同様、コイルＬ１から発生する電力を還流する動作モードである。つまり、第３動作モードは、コイルＬ１から発生する電力を、還流して熱として消費する動作モードである。上述したように、第３動作モードにおいて、スイッチ制御部Ｍは、第１スイッチング素子Ｓ１をオン状態にして、第２スイッチング素子Ｓ２及び第３スイッチング素子Ｓ３をオフ状態にする（図７（ｃ）参照）。なお、第４スイッチング素子Ｓ４については、図７（ｃ）に示すようにオン状態でもよいし、またオフ状態であってもよい。これによって、図６（３）に示すように、コイルＬ１から、第１ダイオードＤ１、第１スイッチング素子Ｓ１を順に介してコイルＬ１に至る経路で電流が流れる。この結果、コイルＬ１から発生する電力は、熱として消費される。
【００５１】
その後、スイッチ制御部Ｍは、第１スイッチング素子Ｓ１、第２スイッチング素子Ｓ２、第３スイッチング素子Ｓ３及び第４スイッチング素子Ｓ４を制御して、第２動作モードと第３動作モードとの切り替えを繰り返す。この結果、駆動電流は、目標電流値Ｒｅｆ近傍で上下する（図７（ａ）参照）。つまり、駆動電流は、目標電流値Ｒｅｆ近傍で安定するように制御される。
【００５２】
そして、スイッチ制御部Ｍは、第１スイッチング素子Ｓ１、第２スイッチング素子Ｓ２、第３スイッチング素子Ｓ３及び第４スイッチング素子Ｓ４をオフ状態にすることで、第４動作モードに移行する。
【００５３】
第４動作モードは、コイルＬ１から発生する電力を直列接続されるコンデンサＣ及び直流電源Ｅに供給して充電することで、方形波状の駆動電流の立ち下がりを急峻にする動作モードである。上述したように、第４動作モードにおいて、スイッチ制御部Ｍは、第１スイッチング素子Ｓ１、第２スイッチング素子Ｓ２、第３スイッチング素子Ｓ３及び第４スイッチング素子Ｓ４をオフ状態にする（図７（ｃ）参照）。
【００５４】
これによって、図６（４）に示すように、コイルＬ１から、第１ダイオードＤ１、コンデンサＣ、第４スイッチング素子Ｓ４の第２スイッチ用ダイオードＳＤ２、直流電源Ｅ、第２ダイオードＤ２を順に介してコイルＬ１に至る経路で電流が流れる。この結果、コンデンサＣ及び直流電源Ｅは、電力が供給されて充電される。これに伴って、コイルＬ１に供給される駆動電流は、急激に低下する（図７（ａ）参照）。
【００５５】
一方、本実施形態において、スイッチ制御部Ｍは、第３スイッチング素子Ｓ３をオン状態にし、かつ第１スイッチング素子Ｓ１、第２スイッチング素子Ｓ２及び第４スイッチング素子Ｓ４をオフ状態にすることで、第４動作モードに代えて、第５動作モードに移行するようにしてもよい（図８（ｃ）参照）。
【００５６】
第５動作モードは、第１実施形態と同様、コイルＬ１から発生する電力を直流電源Ｅに供給する動作モードである。上述したように、第５動作モードにおいて、スイッチ制御部Ｍは、第３スイッチング素子Ｓ３をオン状態にし、かつ第１スイッチング素子Ｓ１、第２スイッチング素子Ｓ２及び第４スイッチング素子Ｓ４をオフ状態にする（図８（ｃ）参照）。これによって、図６（５）に示すように、コイルＬ１から、第１ダイオードＤ１、第３スイッチング素子Ｓ３、直流電源Ｅ、第２ダイオードＤ２を順に介してコイルＬ１に至る経路で電流が流れる。これに伴って、コイルＬ１に供給される駆動電流は、上記第４動作モードほど急激でないが、低下する（図８（ａ）参照）。
【００５７】
本電力変換装置は、上記第１〜第４動作モードを繰り返すことによって、継続的に方形波状の駆動電流を生成して、スイッチトリラクタンスモータ（図示略）のコイルＬ１に供給してもよい（図７参照）。また、第４動作モードに代えて、第５動作モードを実行してもよい。なお、第５動作モードを実行した場合には、コンデンサＣに電荷が蓄えられないので、この後、第１動作モードではなく、第２動作モードを実行することになる（図８参照）。また、図９に示すように、第５動作モードに移行後、特定の時間経過後に、第５動作モードから第４動作モードに移行するようにしてもよい。
【００５８】
さらに、本電力変換装置は、図１０に示すように、第４動作モードから第５動作モードに移行するようにしてもよい。本電力変換装置は、第４動作モードにおいて、コンデンサＣに充電後、第５動作モードに移行しても、第４スイッチング素子Ｓ４がオフ状態であるため、コンデンサＣから電荷が放電されない。そのため、第４動作モードから第５動作モードに移行することが可能となる。
【００５９】
続いて、上記第２実施形態の変形例について説明する。
第２実施形態の変形例は、スイッチトリラクタンスモータ（図示略）の３相分のコイルＬ１、Ｌ２、Ｌ３各々に１２０度ずつ位相の異なる駆動電流を供給するものである。この第２実施形態の変形例は、図１１に示すように、３対の第２端子Ｔ１１、Ｔ１２、Ｔ２１、Ｔ２２、Ｔ３１、Ｔ３２、第２スイッチング素子Ｓ２、Ｓ１２、Ｓ２２及び第１ダイオードＤ１、Ｄ１１、Ｄ２１がスイッチトリラクタンスモータに備えられるコイルＬ１、Ｌ２、Ｌ３各々に対して設けられる点において、上述した第２実施形態と相違する。
【００６０】
これ以外の構成要素については第２実施形態と同様である。なお、１対の第１端子Ｔ１、Ｔ２、コンデンサＣ、第１スイッチング素子Ｓ１、第２ダイオードＤ２、第３スイッチング素子Ｓ３、第３ダイオードＤ３及び第４スイッチング素子Ｓ４については、共有されて各駆動電流の生成に用いられる。すなわち、第２実施形態の変形例は、第１実施形態の変形例に、第４スイッチング素子Ｓ４を追加したものである。よって、第２実施形態の変形例の各構成要素については説明を省略する。
【００６１】
このように構成された第２実施形態の変形例は、スイッチトリラクタンスモータのコイルＬ１、Ｌ２、Ｌ３各々に供給する方形波状の駆動電流を生成するために上述した第２実施形態の第１〜第４動作モードを実行して、コイルＬ１、Ｌ２、Ｌ３各々に１２０度ずつ位相の異なる方形波状の駆動電流を供給する。また、第２実施形態の変形例は、第４動作モードに代えて、第５動作モードを実行してもよい。なお、第５動作モードを実行した場合には、コンデンサＣに電荷が蓄えられないので、この後、第１動作モードではなく、第２動作モードを実行することになる（図８参照）。また、図９に示すように、第５動作モードに移行後、特定の時間経過後に、第５動作モードから第４動作モードに移行するようにしてもよい。さらに、図１０に示すように、第４動作モードに移行後、特定の時間経過後に、第４動作モードから第５動作モードに移行するようにしてもよい。
【００６２】
ここで、１２０度ずつ位相の異なる各駆動電流の方形部分（立ち上がりから立ち下がりまでの間）は、第１実施形態の変形例と同様、時間を空けて重ならないように制御されている。すなわち、各駆動電流の生成に共有される１対の第１端子Ｔ１、Ｔ２、コンデンサＣ、第１スイッチング素子Ｓ１、第２ダイオードＤ２、第３スイッチング素子Ｓ３及び第４スイッチング素子Ｓ４は、時間をずらして、各駆動電流の生成に用いられる。
【００６３】
このような本実施形態によれば、第１動作モードにおいて、直列接続された直流電源Ｅ及びコンデンサＣからスイッチトリラクタンスモータのコイルＬ１（あるいはコイルＬ２、Ｌ３）に駆動電流を供給するので、方形波状の駆動電流の立ち上がりを急峻にすることができる。また、本実施形態によれば、第４動作モードにおいて、コイルＬ１（あるいはコイルＬ２、Ｌ３）から直列接続された直流電源Ｅ及びコンデンサＣに電流を供給するので、方形波状の駆動電流の立ち下がりを急峻にすることができる。このような本実施形態よれば、上述した先行技術文献に比べて、部品点数を減らすことが可能である。
【００６４】
また、本実施形態によれば、第４動作モード及び第５動作モードにおいて、コイルＬ１（あるいはコイルＬ２、Ｌ３）から直流電源Ｅに電力を供給するので、電力の消費を低減することができる。さらに、本実施形態によれば、第４スイッチング素子を備えることによって、第４動作モードから第５動作モードに移行しても、コンデンサＣから電荷が放電されないので、第４動作モードから第５動作モードに移行することが可能である。
【００６５】
〔第３実施形態〕
次に、第３実施形態に係る電力変換装置について説明する。
本第３実施形態に係る電力変換装置は、図１２に示すように、第３ダイオードＤ３及び第５スイッチング素子Ｓ５を備える点において、上記第１実施形態と相違する。これ以外の構成要素については第１実施形態と同様である。よって、第３実施形態において第１実施形態と同様の構成要素については説明を省略する。
【００６６】
第３ダイオードＤ３は、アノード端子が直流電源Ｅのプラス側に、またカソード端子がコイルＬ１の一端にそれぞれ接続されている。
第５スイッチング素子Ｓ５は、第３ダイオードＤ３のカソード端子とコイルＬ１の一端との間に設けられ、一端が第３ダイオードＤ３のカソード端子に、また他端がコイルＬ１の一端にそれぞれ接続されている。
【００６７】
なお、第５スイッチング素子Ｓ５は、例えば、上記第１スイッチング素子Ｓ１、第２スイッチング素子Ｓ２、第３スイッチング素子Ｓ３及び第４スイッチング素子Ｓ４と同様に、ＦＥＴトランジスタ、あるいはバイポーラトランジスタやＩＧＢＴであってもよい。また、スイッチ制御部Ｍは、第１スイッチング素子Ｓ１、第２スイッチング素子Ｓ２及び第３スイッチング素子Ｓ３に加えて、第５スイッチング素子Ｓ５も制御する。
【００６８】
次に、このように構成された本第３実施形態の動作について図１２〜図１６を参照して説明する。
第１動作モードは、第１実施形態と同様に、直列接続される直流電源Ｅ及びコンデンサＣからコイルＬ１に駆動電力を供給する動作モードである。つまり、第３実施形態の第１動作モードにおいて、スイッチ制御部Ｍは、第１スイッチング素子Ｓ１及び第２スイッチング素子Ｓ２をオン状態にし、かつ第３スイッチング素子Ｓ３をオフ状態にする。また、図１３（ｃ）では、第１動作モードにおいて、第５スイッチング素子Ｓ５がオン状態となっているが、第５スイッチング素子Ｓ５については、オン状態でもよいし、またオフ状態であってもよい。
【００６９】
これによって、図１２（１）に示すように、直流電源Ｅから、コンデンサＣ、第１スイッチング素子Ｓ１、コイルＬ１、第２スイッチング素子Ｓ２を順に介して直流電源Ｅに至る経路で電流が流れる。例えば、直流電源Ｅの電圧をＥＶ、コンデンサＣの電圧をＣＶとした場合、コイルＬ１に印加される電圧は（ＥＶ＋ＣＶ）である（図１３（ｂ）参照）。
【００７０】
そして、印加電圧（ＥＶ＋ＣＶ）に応じた駆動電流がコイルＬ１に供給される。この結果、駆動電流は、急激に上昇する（図１３（ａ）参照）。そして、コンデンサＣに蓄えられた電荷が全て放電されると、第１動作モードが終了し、第２動作モードに移行する。
【００７１】
第２動作モードは、第１実施形態と同様、第１動作モードの終了後、直流電源ＥのみからコイルＬ１に駆動電力を供給する動作モードである。なお、図１３（ｃ）では、第２動作モードにおいて、第１スイッチング素子Ｓ１及び第５スイッチング素子Ｓ５両方がオン状態となっているが、第１スイッチング素子Ｓ１及び第５スイッチング素子Ｓ５については、少なくともいずれか一方がオン状態であればよい。
【００７２】
第２動作モードでは、図１２（２）に示すように、直流電源Ｅから、第３スイッチング素子Ｓ３のスイッチ用ダイオードＳＤ１、第１スイッチング素子Ｓ１、コイルＬ１、第２スイッチング素子Ｓ２を順に介して直流電源Ｅに至る経路でも電流が流れる。また、第５スイッチング素子Ｓ５がオン状態である場合には、直流電源Ｅから、第３ダイオードＤ３、第５スイッチング素子Ｓ５、コイルＬ１、第２スイッチング素子Ｓ２を順に介して直流電源Ｅに至る経路でも電流が流れる。この結果、駆動電流は、上記第１動作モードに続いて上昇する（図１３（ａ）参照）。
【００７３】
そして、スイッチ制御部Ｍは、第１スイッチング素子Ｓ１をオン状態にして、第２スイッチング素子Ｓ２及び第３スイッチング素子Ｓ３をオフ状態にすることで、第２動作モードを終了して、第３動作モードに移行する（図１３（ｃ）参照）。また、図１３（ｃ）では、第３動作モードにおいて、第５スイッチング素子Ｓ５がオン状態となっているが、第５スイッチング素子Ｓ５については、オン状態でもよいし、またオフ状態であってもよい。
【００７４】
第３動作モードは、第１実施形態と同様、コイルＬ１から発生する電力を還流する動作モードである。つまり、第３動作モードは、コイルＬ１から発生する電力を、還流して熱として消費する動作モードである。上述したように、第３動作モードにおいて、スイッチ制御部Ｍは、第１スイッチング素子Ｓ１をオン状態にして、第２スイッチング素子Ｓ２及び第３スイッチング素子Ｓ３をオフ状態にする（図１３（ｃ）参照）。なお、第５スイッチング素子Ｓ５については、図１３（ｃ）に示すようにオン状態でもよいし、またオフ状態であってもよい。これによって、図１２（３）に示すように、コイルＬ１から、第１ダイオードＤ１、第１スイッチング素子Ｓ１を順に介してコイルＬ１に至る経路で電流が流れる。この結果、コイルＬ１から発生する電力は、熱として消費される。
【００７５】
その後、スイッチ制御部Ｍは、第１スイッチング素子Ｓ１、第２スイッチング素子Ｓ２、第３スイッチング素子Ｓ３及び第５スイッチング素子Ｓ５を制御して、第２動作モードと第３動作モードとの切り替えを繰り返す。この結果、駆動電流は、目標電流値Ｒｅｆ近傍で上下する（図１３（ａ）参照）。つまり、駆動電流は、目標電流値Ｒｅｆ近傍で安定するように制御される。
【００７６】
そして、スイッチ制御部Ｍは、第１スイッチング素子Ｓ１、第２スイッチング素子Ｓ２、第３スイッチング素子Ｓ３及び第５スイッチング素子Ｓ５をオフ状態にすることで、第４動作モードに移行する。
【００７７】
第４動作モードは、コイルＬ１から発生する電力を直列接続されるコンデンサＣ及び直流電源Ｅに供給して充電することで、方形波状の駆動電流の立ち下がりを急峻にする動作モードである。上述したように、第４動作モードにおいて、スイッチ制御部Ｍは、第１スイッチング素子Ｓ１、第２スイッチング素子Ｓ２、第３スイッチング素子Ｓ３及び第５スイッチング素子Ｓ５をオフ状態にする（図１３（ｃ）参照）。
【００７８】
これによって、図１２（４）に示すように、コイルＬ１から、第１ダイオードＤ１、コンデンサＣ、直流電源Ｅ、第２ダイオードＤ２を順に介してコイルＬ１に至る経路で電流が流れる。この結果、コンデンサＣ及び直流電源Ｅは、電力が供給されて充電される。これに伴って、コイルＬ１に供給される駆動電流は、急激に低下する（図１３（ａ）参照）。
【００７９】
一方、本実施形態において、スイッチ制御部Ｍは、第３スイッチング素子Ｓ３をオン状態にし、かつ第１スイッチング素子Ｓ１、第２スイッチング素子Ｓ２及び第５スイッチング素子Ｓ５をオフ状態にすることで、第４動作モードに代えて、第５動作モードに移行するようにしてもよい（図１４（ｃ）参照）。
【００８０】
第５動作モードは、第１実施形態と同様、コイルＬ１から発生する電力を直流電源Ｅに供給する動作モードである。上述したように、第５動作モードにおいて、スイッチ制御部Ｍは、第３スイッチング素子Ｓ３をオン状態にし、かつ第１スイッチング素子Ｓ１、第２スイッチング素子Ｓ２及び第５スイッチング素子Ｓ５をオフ状態にする（図１４（ｃ）参照）。これによって、図１２（５）に示すように、コイルＬ１から、第１ダイオードＤ１、第３スイッチング素子Ｓ３、直流電源Ｅ、第２ダイオードＤ２を順に介してコイルＬ１に至る経路で電流が流れる。これに伴って、コイルＬ１に供給される駆動電流は、上記第４動作モードほど急激でないが、低下する（図１４（ａ）参照）。
【００８１】
さらに、本実施形態において、スイッチ制御部Ｍは、第５スイッチング素子Ｓ５をオン状態にし、かつ第１スイッチング素子Ｓ１、第２スイッチング素子Ｓ２及び第３スイッチング素子Ｓ３をオフ状態にすることで、第４動作モードや第５動作モードに代えて、第６動作モードに移行するようにしてもよい（図１５（ｃ）参照）。
【００８２】
第６動作モードは、コイルＬ１から発生する電力をコンデンサＣに供給して充電する動作モードである。上述したように、第６動作モードにおいて、スイッチ制御部Ｍは、第５スイッチング素子Ｓ５をオン状態にし、かつ第１スイッチング素子Ｓ１、第２スイッチング素子Ｓ２及び第３スイッチング素子Ｓ３をオフ状態にする（図１５（ｃ）参照）。
【００８３】
これによって、図１２（６）に示すように、コイルＬ１から、第１ダイオードＤ１、コンデンサＣ、第３ダイオードＤ３、第５スイッチング素子Ｓ５を順に介してコイルＬ１に至る経路で電流が流れる。この結果、コンデンサＣには、電荷が蓄えられる。これに伴って、コイルＬ１に供給される駆動電流は、上記第４動作モードほど急激でないが、低下する（図１５（ａ）参照）。
【００８４】
本電力変換装置は、上記第１〜第４動作モードを繰り返すことによって、継続的に方形波状の駆動電流を生成して、スイッチトリラクタンスモータ（図示略）のコイルＬ１に供給してもよい（図１３参照）。また、第４動作モードに代えて、第５動作モードや第６動作モードを実行してもよい。なお、第５動作モードを実行した場合には、コンデンサＣに電荷が蓄えられないので、この後、第１動作モードではなく、第２動作モードを実行することになる（図１４参照）。また、図１６に示すように、第５動作モードに移行後、特定の時間経過後に、第５動作モードから第４動作モードに移行するようにしてもよい。
【００８５】
続いて、上記第３実施形態の変形例について説明する。
第３実施形態の変形例は、スイッチトリラクタンスモータ（図示略）の３相分のコイルＬ１、Ｌ２、Ｌ３各々に１２０度ずつ位相の異なる駆動電流を供給するものである。この第３実施形態の変形例は、図１７に示すように、３対の第２端子Ｔ１１、Ｔ１２、Ｔ２１、Ｔ２２、Ｔ３１、Ｔ３２、第２スイッチング素子Ｓ２、Ｓ１２、Ｓ２２及び第１ダイオードＤ１、Ｄ１１、Ｄ２１がスイッチトリラクタンスモータに備えられるコイルＬ１、Ｌ２、Ｌ３各々に対して設けられる点において、上述した第３実施形態と相違する。
【００８６】
これ以外の構成要素については第３実施形態と同様である。なお、１対の第１端子Ｔ１、Ｔ２、コンデンサＣ、第１スイッチング素子Ｓ１、第２ダイオードＤ２、第３スイッチング素子Ｓ３、第３ダイオードＤ３及び第５スイッチング素子Ｓ５については、共有されて各駆動電流の生成に用いられる。すなわち、第３実施形態の変形例は、第１実施形態の変形例に、第３ダイオードＤ３及び第５スイッチング素子Ｓ５を追加したものである。よって、第３実施形態の変形例の各構成要素については説明を省略する。
【００８７】
このように構成された第３実施形態の変形例は、スイッチトリラクタンスモータのコイルＬ１、Ｌ２、Ｌ３各々に供給する方形波状の駆動電流を生成するために上述した第３実施形態の第１〜第４動作モードを実行して、コイルＬ１、Ｌ２、Ｌ３各々に１２０度ずつ位相の異なる方形波状の駆動電流を供給する。また、第３実施形態の変形例は、第４動作モードに代えて、第５動作モードや第６動作モードを実行してもよい。なお、第５動作モードを実行した場合には、コンデンサＣに電荷が蓄えられないので、この後、第１動作モードではなく、第２動作モードを実行することになる（図１４参照）。また、図１６に示すように、第５動作モードに移行後、特定の時間経過後に、第５動作モードから第４動作モードに移行するようにしてもよい。
【００８８】
ここで、１２０度ずつ位相の異なる各駆動電流の方形部分（立ち上がりから立ち下がりまでの間）は、第１実施形態の変形例と同様、時間を空けて重ならないように制御されている。すなわち、各駆動電流の生成に共有される第１端子Ｔ１、Ｔ２、コンデンサＣ、第１スイッチング素子Ｓ１、第１ダイオードＤ１及び第３スイッチング素子Ｓ３、第３ダイオードＤ３及び第５スイッチング素子Ｓ５は、時間をずらして、各駆動電流の生成に用いられる。
【００８９】
このような本実施形態によれば、第１動作モードにおいて、直列接続された直流電源Ｅ及びコンデンサＣからスイッチトリラクタンスモータのコイルＬ１（あるいはコイルＬ２、Ｌ３）に駆動電流を供給するので、方形波状の駆動電流の立ち上がりを急峻にすることができる。また、本実施形態によれば、第４動作モードにおいて、コイルＬ１（あるいはコイルＬ２、Ｌ３）から直列接続された直流電源Ｅ及びコンデンサＣに電流を供給するので、方形波状の駆動電流の立ち下がりを急峻にすることができる。このような本実施形態よれば、上述した先行技術文献に比べて、部品点数を減らすことが可能である。
【００９０】
また、本実施形態によれば、第４動作モード及び第５動作モードにおいて、コイルＬ１（あるいはコイルＬ２、Ｌ３）から直流電源Ｅに電力を供給するので、電力の消費を低減することができる。また。本実施形態によれば、適宜第４〜第６動作モードを使い分けることによって、コンデンサＣに蓄電する電荷を調整することができる。
【００９１】
〔第４実施形態〕
次に、第４実施形態に係る電力変換装置について説明する。
本第４実施形態に係る電力変換装置は、図１８に示すように、第４スイッチング素子Ｓ４、第３ダイオードＤ３及び第５スイッチング素子Ｓ５を備える点において、上記第１実施形態と相違する。すなわち、第４実施形態は、上述した第２実施形態及び第３実施形態を合わせ持つものである。よって、第４実施形態の変形例の各構成要素については説明を省略する。
【００９２】
次に、このように構成された本第４実施形態の動作について図１８〜図２３を参照して説明する。
第１動作モードは、第１実施形態と同様に、直列接続される直流電源Ｅ及びコンデンサＣからコイルＬ１に駆動電力を供給する動作モードである。つまり、第４実施形態の第１動作モードにおいて、スイッチ制御部Ｍは、第１スイッチング素子Ｓ１、第２スイッチング素子Ｓ２及び第４スイッチング素子Ｓ４をオン状態にし、かつ第３スイッチング素子Ｓ３をオフ状態にする。また、図１９（ｃ）では、第５スイッチング素子Ｓ５がオフ状態となっているが、第５スイッチング素子Ｓ５については、オン状態でもよいし、またオフ状態であってもよい。
【００９３】
これによって、図１８（１）に示すように、直流電源Ｅから、第４スイッチング素子Ｓ４、コンデンサＣ、第１スイッチング素子Ｓ１、コイルＬ１、第２スイッチング素子Ｓ２を順に介して直流電源Ｅに至る経路で電流が流れる。例えば、直流電源Ｅの電圧をＥＶ、コンデンサＣの電圧をＣＶとした場合、コイルＬ１に印加される電圧は（ＥＶ＋ＣＶ）である（図１９（ｂ）参照）。
【００９４】
そして、印加電圧（ＥＶ＋ＣＶ）に応じた駆動電流がコイルＬ１に供給される。この結果、駆動電流は、急激に上昇する（図１９（ａ）参照）。そして、コンデンサＣに蓄えられた電荷が全て放電されると、第１動作モードが終了し、第２動作モードに移行する。
【００９５】
第２動作モードは、第１実施形態と同様、第１動作モードの終了後、直流電源ＥのみからコイルＬ１に駆動電力を供給する動作モードである。図１９（ｃ）では、第２動作モードにおいて、第５スイッチング素子Ｓ５がオフ状態となっている。しかしながら、第２モードでは、第１スイッチング素子Ｓ１及び第２スイッチング素子Ｓ２の組み合わせと、第２スイッチング素子Ｓ２、第４スイッチング素子Ｓ４及び第５スイッチング素子Ｓ５がオン状態の組み合わせとの少なくとも一方の組み合わせがオン状態であればよい。
【００９６】
第２動作モードでは、図１８（２）に示すように、第５スイッチング素子Ｓ５がオフ状態である場合には、直流電源Ｅから、第３スイッチング素子Ｓ３のスイッチ用ダイオードＳＤ１、第１スイッチング素子Ｓ１、コイルＬ１、第２スイッチング素子Ｓ２を順に介して直流電源Ｅに至る経路でも電流が流れる。また、第５スイッチング素子Ｓ５がオン状態である場合には、直流電源Ｅから、第４スイッチング素子Ｓ４、第３ダイオードＤ３、第５スイッチング素子Ｓ５、コイルＬ１、第２スイッチング素子Ｓ２を順に介して直流電源Ｅに至る経路でも電流が流れる。この結果、駆動電流は、上記第１動作モードに続いて上昇する（図１９（ａ）参照）。
【００９７】
そして、スイッチ制御部Ｍは、第１スイッチング素子Ｓ１をオン状態にして、第２スイッチング素子Ｓ２及び第３スイッチング素子Ｓ３をオフ状態にすることで、第２動作モードを終了して、第３動作モードに移行する（図１９（ｃ）参照）。また、図１９（ｃ）では、第３動作モードにおいて、第４スイッチング素子Ｓ４がオン状態となり、また第５スイッチング素子Ｓ５がオフ状態となっているが、第４スイッチング素子Ｓ４及び第５スイッチング素子Ｓ５については、オン状態でもよいし、またオフ状態であってもよい。
【００９８】
第３動作モードは、第１実施形態と同様、コイルＬ１から発生する電力を還流する動作モードである。つまり、第３動作モードは、コイルＬ１から発生する電力を、還流して熱として消費する動作モードである。上述したように、第３動作モードにおいて、スイッチ制御部Ｍは、第１スイッチング素子Ｓ１をオン状態にして、第２スイッチング素子Ｓ２及び第３スイッチング素子Ｓ３をオフ状態にする（図１９（ｃ）参照）。なお、第４スイッチング素子Ｓ４及び第５スイッチング素子Ｓ５については、オン状態でもよいし、またオフ状態であってもよい。これによって、図１８（３）に示すように、コイルＬ１から、第１ダイオードＤ１、第１スイッチング素子Ｓ１を順に介してコイルＬ１に至る経路で電流が流れる。この結果、コイルＬ１から発生する電力は、熱として消費される。
【００９９】
その後、スイッチ制御部Ｍは、第１スイッチング素子Ｓ１、第２スイッチング素子Ｓ２、第３スイッチング素子Ｓ３、第４スイッチング素子Ｓ４及び第５スイッチング素子Ｓ５を制御して、第２動作モードと第３動作モードとの切り替えを繰り返す。この結果、駆動電流は、目標電流値Ｒｅｆ近傍で上下する（図１９（ａ）参照）。つまり、駆動電流は、目標電流値Ｒｅｆ近傍で安定するように制御される。
【０１００】
そして、スイッチ制御部Ｍは、第１スイッチング素子Ｓ１、第２スイッチング素子Ｓ２、第３スイッチング素子Ｓ３、第４スイッチング素子Ｓ４及び第５スイッチング素子Ｓ５をオフ状態にすることで、第４動作モードに移行する。
【０１０１】
第４動作モードは、コイルＬ１から発生する電力を直列接続されるコンデンサＣ及び直流電源Ｅに供給して充電することで、方形波状の駆動電流の立ち下がりを急峻にする動作モードである。上述したように、第４動作モードにおいて、スイッチ制御部Ｍは、第１スイッチング素子Ｓ１、第２スイッチング素子Ｓ２、第３スイッチング素子Ｓ３、第４スイッチング素子Ｓ４及び第５スイッチング素子Ｓ５をオフ状態にする（図１９（ｃ）参照）。
【０１０２】
これによって、図１８（４）に示すように、コイルＬ１から、第１ダイオードＤ１、コンデンサＣ、第４スイッチング素子Ｓ４、直流電源Ｅ、第２ダイオードＤ２を順に介してコイルＬ１に至る経路で電流が流れる。この結果、コンデンサＣ及び直流電源Ｅは、電力が供給されて充電される。これに伴って、コイルＬ１に供給される駆動電流は、急激に低下する（図１９（ａ）参照）。
【０１０３】
一方、本実施形態において、スイッチ制御部Ｍは、第３スイッチング素子Ｓ３をオン状態にし、かつ第１スイッチング素子Ｓ１、第２スイッチング素子Ｓ２、第４スイッチング素子Ｓ４及び第５スイッチング素子Ｓ５をオフ状態にすることで、第４動作モードに代えて、第５動作モードに移行するようにしてもよい（図２０（ｃ）参照）。
【０１０４】
第５動作モードは、第１実施形態と同様、コイルＬ１から発生する電力を直流電源Ｅに供給する動作モードである。上述したように、第５動作モードにおいて、スイッチ制御部Ｍは、第３スイッチング素子Ｓ３をオン状態にし、かつ第１スイッチング素子Ｓ１、第２スイッチング素子Ｓ２、第４スイッチング素子Ｓ４及び第５スイッチング素子Ｓ５をオフ状態にする（図２０（ｃ）参照）。これによって、図１２（５）に示すように、コイルＬ１から、第１ダイオードＤ１、第３スイッチング素子Ｓ３、直流電源Ｅ、第２ダイオードＤ２を順に介してコイルＬ１に至る経路で電流が流れる。これに伴って、コイルＬ１に供給される駆動電流は、上記第４動作モードほど急激でないが、低下する（図２０（ａ）参照）。
【０１０５】
さらに、本実施形態において、スイッチ制御部Ｍは、第５スイッチング素子Ｓ５をオン状態にし、かつ第１スイッチング素子Ｓ１、第２スイッチング素子Ｓ２、第３スイッチング素子Ｓ３及び第４スイッチング素子Ｓ４をオフ状態にすることで、第４動作モードや第５動作モードに代えて、第６動作モードに移行するようにしてもよい（図２１（ｃ）参照）。
【０１０６】
第６動作モードは、第３実施形態と同様、コイルＬ１から発生する電力をコンデンサＣに供給して充電する動作モードである。上述したように、第６動作モードにおいて、スイッチ制御部Ｍは、第５スイッチング素子Ｓ５をオン状態にし、かつ第１スイッチング素子Ｓ１、第２スイッチング素子Ｓ２、第３スイッチング素子Ｓ３及び第４スイッチング素子Ｓ４をオフ状態にする（図２１（ｃ）参照）。
【０１０７】
これによって、図１８（６）に示すように、コイルＬ１から、第１ダイオードＤ１、コンデンサＣ、第３ダイオードＤ３、第５スイッチング素子Ｓ５を順に介してコイルＬ１に至る経路で電流が流れる。この結果、コンデンサＣには、電荷が蓄えられる。これに伴って、コイルＬ１に供給される駆動電流は、上記第４動作モードほど急激でないが、低下する（図３（ａ）参照）。
【０１０８】
本電力変換装置は、上記第１〜第４動作モードを繰り返すことによって、継続的に方形波状の駆動電流を生成して、スイッチトリラクタンスモータ（図示略）のコイルＬ１に供給してもよい（図１９参照）。また、第４動作モードに代えて、第５動作モードや第６動作モードを実行してもよい。なお、第５動作モードを実行した場合には、コンデンサＣに電荷が蓄えられないので、この後、第１動作モードではなく、第２動作モードを実行することになる（図２０参照）。また、図２２に示すように、第５動作モードに移行後、特定の時間経過後に、第５動作モードから第４動作モードに移行するようにしてもよい。
【０１０９】
さらに、本電力変換装置は、図２３に示すように、第４動作モードから第５動作モードに移行するようにしてもよい。本電力変換装置は、第４動作モードにおいて、コンデンサＣに充電後、第５動作モードに移行しても、第４スイッチング素子Ｓ４がオフ状態であるため、コンデンサＣからの放電が防止される。そのため、第４動作モードから第５動作モードに移行することが可能となる。
【０１１０】
続いて、上記第４実施形態の変形例について説明する。
第４実施形態の変形例は、スイッチトリラクタンスモータ（図示略）の３相分のコイルＬ１、Ｌ２、Ｌ３各々に１２０度ずつ位相の異なる駆動電流を供給するものである。この第４実施形態の変形例は、図２４に示すように、３対の第２端子Ｔ１１、Ｔ１２、Ｔ２１、Ｔ２２、Ｔ３１、Ｔ３２、第２スイッチング素子Ｓ２、Ｓ１２、Ｓ２２及び第１ダイオードＤ１、Ｄ１１、Ｄ２１がスイッチトリラクタンスモータに備えられるコイルＬ１、Ｌ２、Ｌ３各々に対して設けられる点において、上述した第４実施形態と相違する。
【０１１１】
これ以外の構成要素については第４実施形態と同様である。なお、１対の第１端子Ｔ１、Ｔ２、コンデンサＣ、第１スイッチング素子Ｓ１、第１ダイオードＤ１、第３スイッチング素子Ｓ３、第４スイッチング素子Ｓ４、第３ダイオードＤ３及び第５スイッチング素子Ｓ５については、共有されて各駆動電流の生成に用いられる。すなわち、第４実施形態の変形例は、第２実施形態の変形例及び第３実施形態の変形例を合わせ持つものである。よって、第４実施形態の変形例の各構成要素については説明を省略する。
【０１１２】
このように構成された第４実施形態の変形例は、スイッチトリラクタンスモータのコイルＬ１、Ｌ２、Ｌ３各々に供給する方形波状の駆動電流を生成するために上述した第４実施形態の第１〜第４動作モードを実行して、コイルＬ１、Ｌ２、Ｌ３各々に１２０度ずつ位相の異なる方形波状の駆動電流を供給する。また、第４実施形態の変形例は、第４動作モードに代えて、第５動作モードや第６実施形態を実行してもよい。なお、第５動作モードを実行した場合には、コンデンサＣに電荷が蓄えられないので、この後、第１動作モードではなく、第２動作モードを実行することになる（図２０参照）。また、図２２に示すように、第５動作モードに移行後、特定の時間経過後に、第５動作モードから第４動作モードに移行するようにしてもよい。さらに、図２３に示すように、第４動作モードに移行後、特定の時間経過後に、第４動作モードから第５動作モードに移行するようにしてもよい。
【０１１３】
ここで、１２０度ずつ位相の異なる各駆動電流の方形部分（立ち上がりから立ち下がりまでの間）は、第１実施形態の変形例と同様、時間を空けて重ならないように制御されている。すなわち、各駆動電流の生成に共有される第１端子Ｔ１、Ｔ２、コンデンサＣ、第１スイッチング素子Ｓ１、第１ダイオードＤ１及び第３スイッチング素子Ｓ３、第４スイッチング素子Ｓ４、第３ダイオードＤ３及び第５スイッチング素子Ｓ５は、時間をずらして、各駆動電流の生成に用いられる。
【０１１４】
このような本実施形態によれば、第１動作モードにおいて、直列接続された直流電源Ｅ及びコンデンサＣからスイッチトリラクタンスモータのコイルＬ１（あるいはコイルＬ２、Ｌ３）に駆動電流を供給するので、方形波状の駆動電流の立ち上がりを急峻にすることができる。また、本実施形態によれば、第４動作モードにおいて、コイルＬ１（あるいはコイルＬ２、Ｌ３）から直列接続された直流電源Ｅ及びコンデンサＣに電流を供給するので、方形波状の駆動電流の立ち下がりを急峻にすることができる。このような本実施形態よれば、上述した先行技術文献に比べて、部品点数を減らすことが可能である。
【０１１５】
また。本実施形態によれば、第４動作モード及び第５動作モードにおいて、コイルＬ１（あるいはコイルＬ２、Ｌ３）から直流電源Ｅに電力を供給するので、電力の消費を低減することができる。さらに、本実施形態によれば、第４スイッチング素子を備えることによって、第４動作モードから第５動作モードに移行しても、コンデンサＣから電荷が放電されないので、第４動作モードから第５動作モードに移行することが可能である。
【０１１６】
このような本実施形態によれば、第１動作モードにおいて、直列接続された直流電源Ｅ及びコンデンサＣからスイッチトリラクタンスモータのコイルＬ１（あるいはコイルＬ２、Ｌ３）に駆動電流を供給するので、方形波状の駆動電流の立ち上がりを急峻にすることができる。また、本実施形態によれば、第４動作モードにおいて、コイルＬ１（あるいはコイルＬ２、Ｌ３）から直列接続された直流電源Ｅ及びコンデンサＣに電流を供給するので、方形波状の駆動電流の立ち下がりを急峻にすることができる。このような本実施形態よれば、上述した先行技術文献に比べて、部品点数を減らすことが可能である。
【０１１７】
また、本実施形態によれば、第４動作モード及び第５動作モードにおいて、コイルＬ１（あるいはコイルＬ２、Ｌ３）から直流電源Ｅに電力を供給するので、電力の消費を低減することができる。さらに、本実施形態によれば、第４スイッチング素子を備えることによって、第４動作モードから第５動作モードに移行しても、コンデンサＣから電荷が放電されないので、第４動作モードから第５動作モードに移行することが可能である。また。本実施形態によれば、適宜第４〜第６動作モードを使い分けることによって、コンデンサＣに蓄電する電荷を調整することができる。
【０１１８】
以上、本発明の実施形態について説明したが、本発明は上記実施形態に限定されることなく、例えば以下のような変形が考えられる。
上記第１〜第４実施形態は、直流電源からの電力を変換して３相のスイッチトリラクタンスモータに供給するための電力変換装置に本発明を適用したものであるが、直流電源からの電力を変換して３相以外の複数相のスイッチトリラクタンスモータに電力を供給するための電力変換装置に本発明を適用するようにしてもよい。
【符号の説明】
【０１１９】
Ｃ  コンデンサ
Ｄ１  第１ダイオード
Ｄ１１  第１ダイオード
Ｄ２  第２ダイオード
Ｄ２１  第１ダイオード
Ｄ３  第３ダイオード
Ｅ  直流電源
Ｌ１  コイル
Ｌ２  コイル
Ｌ３  コイル
Ｍ  スイッチ制御部
Ｓ１  第１スイッチング素子
Ｓ１２  第２スイッチング素子
Ｓ２  第２スイッチング素子
Ｓ２２  第２スイッチング素子
Ｓ３  第３スイッチング素子
Ｓ４  第４スイッチング素子
Ｓ５  第５スイッチング素子
ＳＤ１  スイッチ用ダイオード
ＳＤ２  第２スイッチ用ダイオード
Ｔ１、Ｔ２  第１端子
Ｔ１１、Ｔ１２  第２端子
Ｔ２１、Ｔ２２  第２端子
Ｔ３１、Ｔ３２  第２端子
【図１】
2015033297.tif 000003
【図２】
2015033297.tif 000004
【図３】
2015033297.tif 000005
【図４】
2015033297.tif 000006
【図５】
2015033297.tif 000007
【図６】
2015033297.tif 000008
【図７】
2015033297.tif 000009
【図８】
2015033297.tif 000010
【図９】
2015033297.tif 000011
【図１０】
2015033297.tif 000012
【図１１】
2015033297.tif 000013
【図１２】
2015033297.tif 000014
【図１３】
2015033297.tif 000015
【図１４】
2015033297.tif 000016
【図１５】
2015033297.tif 000017
【図１６】
2015033297.tif 000018
【図１７】
2015033297.tif 000019
【図１８】
2015033297.tif 000020
【図１９】
2015033297.tif 000021
【図２０】
2015033297.tif 000022
【図２１】
2015033297.tif 000023
【図２２】
2015033297.tif 000024
【図２３】
2015033297.tif 000025
【図２４】
2015033297.tif 000026